(57)【要約】      （修正有）【課題】安全、且つ敏速にできるオイル管の設置器を提供する。【解決手段】主にベース、伝動装置、固定部品、管挟ジグにより構成する。該ベースは少なくとも２個のスライド槽を設置し、該伝動装置と該管挟ジグはそれぞれ該ベースの両側に設置され、かつ該伝動装置上には調整ボルトを可動穿設する。該固定部品は該調整ボルトの片側に定位し、該調整ボルトの駆動を通して該固定部品を該ベース上で移動させる。該固定部品内側には緊密挟ジグを設置し、該緊密挟ジグ内側には固定ナットを設置する。該管挟ジグ上には管路を挟持固定し、使用者が該伝動装置を駆動すると、該固定部品を連動し該ベース上で移動させ、こうして該固定ナットは該管路上に安定的に嵌設される。【選択図】図１
0003117924.tif 000002
【実用新案登録請求の範囲】
【請求項１】
主にベース、伝動装置、固定部品、管挟ジグにより構成し、
該ベースは少なくとも２個のスライド槽を設置し、該伝動装置は該ベースに可動固定する固定台を設置し、該固定台上には調整ボルトを可動穿設し、該固定部品は該調整ボルトの片側に定位し、該調整ボルトの駆動を通して該固定部品を該ベース上で移動させ、かつ該固定部品内側には緊密挟ジグを設置し、該緊密挟ジグ内側には固定ナットを設置し、該管挟ジグは該ベース上において該伝動装置に対して反対側に定位し、該管挟ジグは管路を固定可能で、これにより該伝動装置は該固定部品を駆動し該ベースで移動させると該固定ナットは該管路上に嵌設されることを特徴とするオイル管の設置器。
【請求項２】
前記伝動装置の固定台にはスライドブロックを設置し、かつ該スライドブロックは前記ベースのスライド槽内に嵌設されることを特徴とする請求項１記載のオイル管の設置器。
【請求項３】
前記固定部品は開放可能な上蓋を含み、前記固定部品と該上蓋にはそれぞれスライド槽とスライドブロックを設置し、これにより嵌設結合を形成することを特徴とする請求項１記載のオイル管の設置器。
【請求項４】
前記緊密挟ジグは２部式分離設計であることを特徴とする請求項１記載のオイル管の設置器。
【請求項５】
前記緊密挟ジグには固定部、可動部を設置し、該固定部上には前記ベースのスライド槽内に嵌設可能なスライドブロックを設置し、さらに該固定部と該可動部にはそれぞれ挟カバーを開設し、該可動部は該固定部と相互に結合し、これにより該挟カバーは管路を挟持することを特徴とする請求項１記載のオイル管の設置器。
【請求項６】
前記管挟ジグの固定部と可動部にはそれぞれ溝を設置し、前記固定部の溝内にはボルトを可動設置し、かつ該ボルトは同時に前記可動部の溝を経由しナットの対応により、前記可動部と前記固定部は緊密に結合されることを特徴とする請求項５記載のオイル管の設置器。
【請求項７】
前記ナットは蝶型ナットであることを特徴とする請求項６記載のオイル管の設置器。
【請求項８】
主にベース、伝動装置、第一挟具、第二挟具により構成し、
該ベースは少なくとも２個のスライド槽を設置し、該伝動装置は該ベースに可動固定する固定台を設置し、該固定台上には調整ボルトを可動穿設し、該第一挟具は前記調整ボルトの片側に結合され、前記調整ボルトの駆動を通して該第一挟具は前記ベース上において移動し、
該第二挟具は前記ベースにおいて該第一挟具の反対側に定位され、これにより前記伝動装置が該第一挟具を駆動し前記ベース上で移動させると、該第一挟具と該第二挟具は密着を形成することを特徴とするオイル管の設置器。
【請求項９】
前記第一挟具には２個のスライドブロックを設置し、前記第一挟具のスライドブロックは前記ベースのスライドレール上に嵌設され、こうして前記伝動装置は前記第一挟具を駆動し前記ベース上でスライド移動を行うことを特徴とする請求項８記載のオイル管の設置器。
【考案の詳細な説明】
【技術分野】
【０００１】
本考案は一種のオイル管の設置器に係り、特に一種の管を固定ナット上に挟持固定可能な機械構造装置に関する。
【背景技術】
【０００２】
車両或いは機械などが具える金属オイル管は、テフロン（登録商標）或いは他の同等の効果を持つ材質により製造される管を外周を金属網層で覆い構成する。該管は圧力を受けても膨張せず、圧力の流失を効果的に抑えることができるという特徴を持つ。しかし、この種の金属オイル管の設置に使用可能な設置工具が市販されていないため、管接合の過程においては金属網層に覆われているという構造特性により、オイル管切断面の金属網層は不規則な拡散を生じる。しかも、現時点ではオイル管の設置はすべて作業人員が手で行っているため、オイル管切断面に生じる金属網層の不規則拡散により、作業人員の手が負傷する事態がしばしば起こっている。さらにはこのためにオイル管接合部とオイル管間の安定性にも悪影響を及ぼしている。
【考案の開示】
【考案が解決しようとする課題】
【０００３】
本考案は上記構造の問題点を解決したオイル管の設置器を提供し、オイル管の設置を安全かつ迅速とするものである。
【課題を解決するための手段】
【０００４】
上記課題を解決するため、本考案は下記のオイル管の設置器を提供する。それは主にベース上にそれぞれ伝動装置と管挟ジグを設置し、該伝動装置は固定台上において調整ボルトを可動穿設し、該調整ボルトの片側には緊密挟ジグを設置可能な固定部品を設置し、該緊密挟ジグには固定ナットを設置し、該管挟ジグは該固定ナットと設置される管路を挟持し、操作者が該伝動装置を駆動すると、該固定部品を連動し該ベース上で移動させ、こうして該固定ナットは該管路上に安定的に嵌設され、堅固な結合を形成することを特徴とするオイル管の設置器である。
【考案の効果】
【０００５】
上記のように、本考案の固定部品内側には緊密挟ジグを設置し、該緊密挟ジグ内側には固定ナットを設置し、該管挟ジグ上には管路を挟持固定し、使用者が該伝動装置を駆動すると、該固定部品を連動し該ベース上で移動させ、こうして該固定ナットは該管路上において安定的に嵌設される。
【考案を実施するための最良の形態】
【０００６】
図１、２に示すように、本考案はベース１、伝動装置２、固定部品３、管挟ジグ４により構成する。該ベース１は少なくとも２個のスライド槽１１を設置する。該伝動装置２は固定台２１を設置し、該固定台２１上には調整ボルト２２を可動穿設する。さらに該固定台２１にはスライドブロック２１１を設置し、該スライドブロック２１１は該ベース１のスライド槽１１内に嵌設する。該固定部品３は該調整ボルト２２の片側に定位し、該固定部品３内側には２部式分離設計の緊密挟ジグ３２を設置する。該固定部品３には開放可能な上蓋３１を設置し、該固定部品３と該上蓋３１にはそれぞれスライド槽３０とスライドブロック３１１を設置し嵌設構造を形成する。該管挟ジグ４は該ベース１上において該伝動装置２に対して反対側に定位し、該管挟ジグ４は固定部４１、可動部４２を含む。該固定部４１上には該ベース１のスライド槽１１内に嵌設可能なスライドブロック４１１を設置する。さらに該固定部４１と該可動部４２にはそれぞれ溝４１２、４２１及び挟カバー４１３、４２２を開設し、該固定部４１の溝４１２内にはボルト４３を可動設置する。かつ該ボルト４３は同時に該可動部４２の溝４２１を経由しナット４４の対応により、該可動部４２と該固定部４１は緊密に結合される。
【０００７】
さらに図３、４に示すように、本考案の操作時には、予め設置する固定ナットAを該固定部品３の緊密挟ジグ３２内に設置後、該上蓋３１を該固定部品３上に嵌設する。この時、管路Bを該固定部４１の挟カバー４１３上に入れ、適当な長さに調整し、該可動部４２及び該挟カバー４２２を該固定部４１上においてそれぞれ蓋合する。さらに、該固定部４１のボルト４３を利用し、該可動部４２の溝４２１を経由し該ナット４４の対応緊密固定により、該可動部４２と該固定部４１は緊密に結合される。こうして、該管路Bは安定的に該挟カバー４１３、４２２において挟持される。さらに、上記動作の完成後、操作者は該伝動装置２の調整ボルト２２を駆動し、該固定部品３を前方へと移動させる。またこれにより該緊密挟ジグ３２内の固定ナットAは該管路B上に嵌固され、該固定ナットAと該管路Bの結合を完成する。この時、操作者は該上蓋３１を再度開き、ナット４４とボルト４３を緩め、該可動部４２を取り外せば、結合が完成した該固定ナットAと該管路Bを取り出すことができる。
【０００８】
次に図５、６に示すように、該ベース１上にはスライドレール１２を設置し、かつ該ベース１上には第一挟具５、第二挟具６を設置する。該第一挟具５には係合ブロック５１を設置し、該第一挟具５の係合ブロック５１は該ベース１のスライドレール１２に嵌設され、同時に該調整ボルト２２の片側に結合される。該第二挟具６は該ベース１のスライド槽１１に嵌設されるスライドブロック６１を設置する。操作者が該伝動装置２の調整ボルト２２を駆動し、該第一挟具５を前方へと移動させると、該第一挟具５と該第一挟具６は密着し、挟持或いは緊密な結合機能を達成する。
【図面の簡単な説明】
【０００９】
【図１】本考案の立体分解図である。
【図２】本考案の立体外観図である。
【図３】本考案作動前の動作指示図である。
【図４】本考案作動完成後の動作指示図である。
【図５】本考案の実施例指示図である。
【図６】本考案の実施例の動作指示図である。
【符号の説明】
【００１０】
１    ベース
１１  スライド槽
１２  スライドレール
２    伝動装置
２１  固定台
２１１  スライドブロック
２２  調整ボルト
３    固定部品
３０  スライド槽
３１  上蓋
３１１  スライドブロック
３２  緊密挟ジグ
４    管挟ジグ
４１  固定部
４１１  スライドブロック
４１２  溝
４１３  挟カバー
４２  可動部
４２１  溝
４２２  挟カバー
４３  ボルト
４４  ナット
５  第一挟具
５１  係合ブロック
６  第二挟具
６１  スライドブロック
Ａ  固定ナット
Ｂ  管路
【図１】
0003117924.tif 000003
【図２】
0003117924.tif 000004
【図３】
0003117924.tif 000005
【図４】
0003117924.tif 000006
【図５】
0003117924.tif 000007
【図６】
0003117924.tif 000008